(57)【要約】【課題】  口と鼻を覆う衛星用品としての簡易マスクであって、その左右両側と頬との間に隙間を生ずることのないマスクを提供すること。【解決手段】  複数層の通気性素材からなるマスク本体１，１１の左右両端を、通気性素材からなる側当て片４，１４により囲繞し、且つこの側当て片４，１４とマスク本体１，１１との間に、内側から外側に向けて耳掛け紐５，１５の上端と下端を挿入し、側当て片４，１４とマスク本体１，１１と耳掛け紐５，１５を一体的に固着してなるマスクにおいて、前記側当て片４，１４の一側からマスク本体１，１１上に延長した柔軟な通気性素材からなるテープ状の補助片７，１７により、耳掛け紐５，１５の基部５ａ、１５ａを被覆する。また上記補助片１７の上下両端をマスク本体１１に固着して耳掛け紐１５の基部１５ａを保持する上下一対の袋部１８を形成する。【選択図】      図１
2006034408.tif 000002
【特許請求の範囲】
【請求項１】
複数層の通気性素材からなるマスク本体の左右両端を通気性素材からなる側当て片により囲繞し、且つこの側当て片とマスク本体との間に、内側から外側に向けて耳掛け紐の上端と下端を挿入し、側当て片とマスク本体と耳掛け紐を一体的に固着してなるマスクにおいて、前記側当て片の一側からマスク本体上に延長した柔軟な通気性素材からなるテープ状の補助片により、耳掛け紐の基部を被覆したことを特徴とするマスク。
【請求項２】
補助片の上下両端をマスク本体に固着して耳掛け紐の基部を保持する上下一対の袋部を形成したことを特徴とする請求項１記載のマスク。
【発明の詳細な説明】
【技術分野】
【０００１】
本発明は、口と鼻を覆う衛生用品としての簡易マスクに関するものである。
【背景技術】
【０００２】
通気性素材を重ね合わせ、その左右両側に耳掛け紐の両端を溶着、縫着等により固定した簡易マスクが、アレルギー性鼻炎の患者等に広く使用されている。このマスクには、通気性素材からなるマスク本体の左右両側に上下に開口する紐通し孔を形成し、この紐通し孔に耳掛け紐を差し通したもの（例えば特開２０００−１８９５２８号公報）と、マスク本体の左右両側の上下に耳掛け紐の両端を直接固着したもの（例えば特開２００３−４７６６８号公報）がある。
【０００３】
前者のマスクは、耳掛け紐を耳に掛けたとき、マスク本体の左右両側が上下方向に収縮して頬に密接するため、頬との間に隙間を生じないが、後者のマスクは、マスク本体の左右両側が上下方向に収縮しないため、左右両側部が頬から外側に離れ、頬との間に大きな間隙を生ずる。そのため、鼻や口への花粉等の侵入を防止するというマスク本来の効果が得られなかった。
【０００４】
上記後者のマスクの課題を解決するために、通気性素材からなるマスク本体の内面、即ち顔面に接する面の左右両側に立体ギャザー形状の補助部材を取り付けたマスクが、特開平１０−１５０９１号公報に開示されている。このマスクは、マスク本体の左右両側が頬から離隔する方向に変形すると、マスク本体の内面から補助部材が顔面方向へ立体的に立ち上がって、頬に当り、マスク本体と顔面との間隙を塞ぐものである。従って、鼻や口への花粉等の侵入は防止されるが、補助部材が複雑な立体構造のため、生産コストも高くなり、安価なマスクを提供することができなかった。また、補助部材が立体ギャザー形状でマスク全体が肉厚となるため、商品の梱包上にも携行上にも適切なものではなかった。
【特許文献１】特開２０００−１８９５２８号公報                                            特開２００３−４７６６８号公報                                              特開平１０−１５０９１号公報
【発明の開示】
【発明が解決しようとする課題】
【０００５】
本発明は、口と鼻を覆う衛生用品としての簡易マスクであって、左右両側に間隙を生ずることのないマスクを安価に提供することを目的としている。
【課題を解決するための手段】
【０００６】
上記の目的を達成するために、請求項１の発明は、複数層の通気性素材からなるマスク本体の左右両端を通気性素材からなる側当て片により囲繞し、且つこの側当て片とマスク本体との間に、内側から外側に向けて耳掛け紐の上端と下端を挿入し、側当て片とマスク本体と耳掛け紐を一体的に固着してなるマスクにおいて、前記側当て片の一側からマスク本体上に延長した柔軟な通気性素材からなるテープ状の補助片により、耳掛け紐の基部を被覆したことを特徴としている。
【０００７】
この請求項１のマスクの耳掛け紐を左右外側方向に引っ張ると、耳掛け紐の基部により、補助片が押し上げられる。従って、左右の耳掛け紐を互いに外方に引っ張って耳に掛け渡すと、マスク本体から補助片が自動的に起立して頬に密接し、マスク本体と頬との間の間隙が塞がれる。
【０００８】
請求項２の発明は、請求項１の発明における補助片の上下両端をマスク本体に固着して耳掛け紐の基部を保持する上下一対の袋部を形成したことを特徴としている。
【０００９】
この請求項２のマスクは、上記請求項１の場合と同様に、耳掛け紐を引っ張って耳に掛け渡すと、マスク本体から補助片が自動的に起立して頬に密接し、マスク本体と頬との間の間隙が塞がれる。しかも耳掛け紐の基部は、補助片の上下に形成した一対の袋部内に常に保持されているため、耳掛け紐を耳に掛け渡した場合、補助片は確実に押し上げられ、マスク本体と頬との間の間隙が塞がれる。
【発明の効果】
【００１０】
本発明に係る請求項１及び２のマスクは、左右の耳掛け紐を互いに外方に引っ張って耳に掛け渡すと、マスク本体から補助片が自動的に起立して頬に密接し、マスク本体と頬との間の間隙が塞がれるので、鼻や口への花粉等の侵入を防止することができ、取り扱いも極めて簡単である。また補助片は、柔軟な通気性素材によりテープ状に形成されているため、安価に製造することができると共に、頬への感触が良好であり、違和感なく使用することができる。しかも補助片によりマスク本体が肉厚に成らないので、商品の梱包上にも、携行上にも便利である。
【００１１】
請求項２のマスクは、補助片の上下に袋部を形成し、この袋部に耳掛け紐の基部が常に保持されるようにしたから、補助片を確実に起立させることができる。
【発明を実施するための最良の形態】
【００１２】
以下、図１及び図２を参照して請求項１の発明の実施形態を詳述する。図１はマスクの正面図であり、図２は同上マスクの要部を示す斜視図である。
【００１３】
図中の符号Ａは通気性を有する不織布製のマスク本体であり、縦長の不織布を矩形状に折り畳み、且つ中間部を蛇腹状に折り畳み、上下両端を熱圧着等による溶着線２により、一体的に溶着している。またマスク本体１の上部には針金等の変形維持素材３を介在させている。
【００１４】
符号４は通気性を有する不織布製のテープを長手方向に沿って２つ折りし、マスク本体１の左右両端を挟んだ一対の側当て片であり、この側当て片４とマスク本体１の顔面に接する側の左右両端部との間に、その内側から外側に向けて左右一対の耳掛け紐５の各端部を挿入した後、側当て片４の外面より熱圧着することにより、側当て片４とマスク本体１と耳掛け紐５の端部を一体化している。６はその溶着部である。
【００１５】
符号７は前記側当て片４の一側をマスク本体１の内面、即ち顔面に触れる面上に延長した約１０ミリ幅の補助片であり、左右の耳掛け紐５の基部５ａを被覆している。
【００１６】
図２に鎖線で示すように、上記耳掛け紐５を左右に引っ張って耳に掛けた場合、左右の補助片７は耳掛け紐５により引き起こされ、頬に当接して頬とマスク本体１との間隙を閉鎖するため、鼻や口への花粉等の侵入が防止されるのである。またテープ状の補助片７は柔軟な通気性素材製のため、感触が良好であり、違和感なく着用することができる。
【００１７】
次に、図３及び図４を参照して請求項２の発明の実施形態を詳述する。図３はマスクの正面図であり、図４は同上マスクの要部を示す斜視図である。
【００１８】
図中の符号１１は通気性を有する不織布製のマスク本体であり、縦長の不織布を矩形状に折り畳み、且つ中間部を蛇腹状に折り畳み、上下両端を熱圧着等による溶着線１２により一体的に溶着し、上縁をＶ字状に形成している。またマスク本体１１の上部には針金等の変形維持素材１３を介在させている。
【００１９】
符号１４は通気性を有する不織布製のテープを長手方向に２つ折りしてマスク本体１１の左右両端を挟んだ一対の側当て片であり、この側当て片１４とマスク本体１１の左右両端部との間に、その内側から左右一対の耳掛け紐１５の各端部を挿入した後、外側より熱圧着することにより、側当て片１４とマスク本体１１と耳掛け紐１５の端部を一体化している。１６はその溶着部である。
【００２０】
符号１７は前記側当て片１４の一側をマスク本体１１の内面、即ち着用時に顔面に接する面上に延長した約１０ミリ幅の補助片であり、左右の耳掛け紐１５の基部１５ａを被覆している。上記補助片１７の上下両端の幅の約１/２をマスク本体１１の上下両端に溶着して、その溶着部１６ａと溶着部１６との成す内側隅部に耳掛け紐１５の離脱防止用の袋部１８を形成している。
【００２１】
上記補助片１７は、上下両端の幅の約１/２をマスク本体１１に溶着して浅い袋部１８を形成したが、この袋部１８が深過ぎる場合は、耳掛け紐５を耳に掛けたとき、マスク本体１１の上端隅部が上方に、下端隅部が下方に突出し、全体形状の体裁が悪くなることがある。そのため溶着部１６ａは５ｍｍ程度が好ましい。
【００２２】
図４に鎖線で示すように、上記耳掛け紐１５を左右に引っ張って耳にかけた場合、左右の補助片１７は耳掛け紐１５により引き起こされて頬に当接し、頬とマスク本体１１との間隙を閉鎖するため、鼻や口への花粉等の侵入が防止されるのである。しかも耳掛け紐１５を左右に引っ張った場合、耳掛け紐１５の基部１５ａは袋部１８に保持され、マスク本体１１から外れる虞がないので、補助片１７を確実に起立させることができるのである。
【図面の簡単な説明】
【００２３】
【図１】請求項１の発明の実施形態を示す正面図である。
【図２】同上実施形態の要部を示す斜視図である。
【図３】請求項２の発明の実施形態を示す正面図である。
【図４】同上実施形態の要部を示す斜視図である。
【符号の説明】
【００２４】
１，１１      マスク本体
２，１２      溶着線
３，１３      変形維持素材
４，１４      側当て片
５，１５      耳掛け紐
５ａ、１５ａ  基  部
６，１６      溶着部
１６ａ        溶着部
７，１７      補助片
１８          袋  部
【図１】
2006034408.tif 000003
【図２】
2006034408.tif 000004
【図３】
2006034408.tif 000005
【図４】
2006034408.tif 000006